(57)【要約】【課題】上面の内側の面からフィルムを容易に確実にはがすことができる家庭用薄葉紙収納箱を提供する。【解決手段】積層されたティシューペーパー２００，…が内部に収納され、上面２０に設けられた取出口２１を被覆するように、スリット９１を有するフィルム９０が内側の面に貼着され、スリット９１を通して内部のティシューペーパー２００を取り出すことができるティシューペーパー収納箱（家庭用薄葉紙収納箱）において、底面２０における底面２０中央よりも糊代部５０側には、糊代部５０側から底面２０中央に向かって突出する略Ｕ字形状の底面ミシン目４０が設けられており、底面ミシン目４０で形成された内部領域に指を当てて力を加えると、底面ミシン目４０で形成された内部領域がティシューペーパー収納箱１００の内側に折れ曲がって、指が挿入可能となることを特徴とする。【選択図】図４
2009286447.tif 000002
【特許請求の範囲】
【請求項１】
積層された家庭用薄葉紙が内部に収納され、上面に設けられた取出口を被覆するように、スリットを有するフィルムが内側の面に貼着され、前記スリットを通して内部の家庭用薄葉紙を取り出すことができる、六面体形状の家庭用薄葉紙収納箱において、
前記上面と、前記上面の一の端部と連結する第１側面と、前記上面の前記一の端部と対向する端部と連結する第２側面と、前記第２側面の前記上面と連結された端部と対向する端部と連結する底面と、前記底面の前記第２側面と連結された端部と対向する端部と連結する糊代部と、前記上面の前記一の端部と直交する両端部のそれぞれから突出する上側外フラップと、前記底面の前記第２側面と連結された端部と直交する両端部のそれぞれから突出する下側外フラップと、前記第１側面及び前記第２側面の前記上面と連結された端部と直交する両端部のそれぞれから突出する内フラップと、を有する一枚のシート基材を備え、
前記シート基材の前記底面と前記第１側面とを、前記糊代部と前記第１側面とを接着させることによって連結させるとともに、前記シート基材の前記上側外フラップと前記下側外フラップとを、前記内フラップ上で接着させることによって連結させることで、前記六面体形状に形成され、
前記底面における前記底面中央よりも前記糊代部側には、所定の大きさの内部領域を形成する底面ミシン目が設けられており、
前記底面ミシン目で形成された内部領域に指を当てて力を加えると、当該底面ミシン目で形成された内部領域が当該家庭用薄葉紙収納箱の内側に折れ曲がって、指が挿入可能となることを特徴とする家庭用薄葉紙収納箱。
【請求項２】
請求項１に記載の家庭用薄葉紙収納箱において、
前記底面ミシン目の起点及び終点は、前記底面と前記糊代部との境界上に位置していることを特徴とする家庭用薄葉紙収納箱。
【請求項３】
請求項２に記載の家庭用薄葉紙収納箱において、
前記糊代部には、前記底面ミシン目の起点及び終点から延長する延長ミシン目が設けられていることを特徴とする家庭用薄葉紙収納箱。
【請求項４】
請求項１〜３の何れか一項に記載の家庭用薄葉紙収納箱において、
前記下側外フラップには、所定の大きさの内部領域を形成するフラップミシン目が設けられており、
前記フラップミシン目で形成された内部領域に指を当てて力を加えると、当該フラップミシン目で形成された内部領域が当該家庭用薄葉紙収納箱の内側に折れ曲がって、指が挿入可能となることを特徴とする家庭用薄葉紙収納箱。
【請求項５】
請求項１〜４の何れか一項に記載の家庭用薄葉紙収納箱において、
前記糊代部には、当該糊代部の前記底面と連結された端部と略直交する一方の端部から他方の端部に亘って、前記底面と前記糊代部との境界に略平行な糊代部ミシン目が設けられていることを特徴とする家庭用薄葉紙収納箱。
【請求項６】
請求項５に記載の家庭用薄葉紙収納箱において、
前記糊代部ミシン目は、凹みにより形成されていることを特徴とする家庭用薄葉紙収納箱。
【発明の詳細な説明】
【技術分野】
【０００１】
本発明は、家庭用薄葉紙収納箱に関する。
【背景技術】
【０００２】
従来、家庭用薄葉紙の１つであるティシューペーパーを収納するティシューペーパー収納箱（以下、「収納箱」という。）には、収納箱の上面にティシューペーパーを取り出すための取出口が設けられている。この取出口には、プラスチック製のフィルムが貼着され、取出口の全体を被覆している。このフィルムの中央部には直線状のスリットが設けられており、中身のティシューペーパーは、このスリットを通して外部へ引き出される。そして、このフィルムとスリットとは、次のティシューペーパーを所定の位置に保持する役割を果たしている。
【０００３】
ところで、環境上の理由から、フィルムと紙とを分別回収する必要があるが、収納箱において、フィルムは、上面の内側の面に貼着されているため、はがしにくいという問題がある。
そこで、例えば、フィルムを、収納箱の片側端部もしくは両側端部方向に、上側外フラップの位置まで延長させた収納箱（例えば、特許文献１参照）や、フィルムの貼り付け部を不連続にすることで、フィルムを剥がし易くした収納箱（例えば、特許文献２参照）、フィルムにタブを付けることで、フィルムを剥がし易くした収納箱（例えば、特許文献３参照）などが提案されている。
【特許文献１】特開２００６−５１９６２号公報
【特許文献２】特開２００７−２１７０３６号公報
【特許文献３】特開２００７−２１７０３７号公報
【発明の開示】
【発明が解決しようとする課題】
【０００４】
しかしながら、特許文献１記載の発明では、上面の内側の面における、上側外フラップ側の部分に貼着されたフィルムは容易にはがすことができるものの、上面中央付近に貼着されたフィルムは容易にはがすことができず、はがし残しが生じてしまうという問題がある。
また、特許文献２や特許文献３記載の発明では、フィルムの剥がし易さは改善されるものの、収納箱を開け易さは言及されておらず、収納箱を開ける手間がかかる問題があった。
【０００５】
本発明の課題は、上面の内側の面からフィルムを容易に確実にはがすことができる家庭用薄葉紙収納箱を提供することにある。
【課題を解決するための手段】
【０００６】
上記課題を解決するために、請求項１に記載の発明は、
積層された家庭用薄葉紙が内部に収納され、上面に設けられた取出口を被覆するように、スリットを有するフィルムが内側の面に貼着され、前記スリットを通して内部の家庭用薄葉紙を取り出すことができる、六面体形状の家庭用薄葉紙収納箱において、
前記上面と、前記上面の一の端部と連結する第１側面と、前記上面の前記一の端部と対向する端部と連結する第２側面と、前記第２側面の前記上面と連結された端部と対向する端部と連結する底面と、前記底面の前記第２側面と連結された端部と対向する端部と連結する糊代部と、前記上面の前記一の端部と直交する両端部のそれぞれから突出する上側外フラップと、前記底面の前記第２側面と連結された端部と直交する両端部のそれぞれから突出する下側外フラップと、前記第１側面及び前記第２側面の前記上面と連結された端部と直交する両端部のそれぞれから突出する内フラップと、を有する一枚のシート基材を備え、
前記シート基材の前記底面と前記第１側面とを、前記糊代部と前記第１側面とを接着させることによって連結させるとともに、前記シート基材の前記上側外フラップと前記下側外フラップとを、前記内フラップ上で接着させることによって連結させることで、前記六面体形状に形成され、
前記底面における前記底面中央よりも前記糊代部側には、所定の大きさの内部領域を形成する底面ミシン目が設けられており、
前記底面ミシン目で形成された内部領域に指を当てて力を加えると、当該底面ミシン目で形成された内部領域が当該家庭用薄葉紙収納箱の内側に折れ曲がって、指が挿入可能となることを特徴とする。
【０００７】
請求項２に記載の発明は、
請求項１に記載の家庭用薄葉紙収納箱において、
前記底面ミシン目の起点及び終点は、前記底面と前記糊代部との境界上に位置していることを特徴とする。
【０００８】
請求項３に記載の発明は、
請求項２に記載の家庭用薄葉紙収納箱において、
前記糊代部には、前記底面ミシン目の起点及び終点から延長する延長ミシン目が設けられていることを特徴とする。
【０００９】
請求項４に記載の発明は、
請求項１〜３の何れか一項に記載の家庭用薄葉紙収納箱において、
前記下側外フラップには、所定の大きさの内部領域を形成するフラップミシン目が設けられており、
前記フラップミシン目で形成された内部領域に指を当てて力を加えると、当該フラップミシン目で形成された内部領域が当該家庭用薄葉紙収納箱の内側に折れ曲がって、指が挿入可能となることを特徴とする。
【００１０】
請求項５に記載の発明は、
請求項１〜４の何れか一項に記載の家庭用薄葉紙収納箱において、
前記糊代部には、当該糊代部の前記底面と連結された端部と略直交する一方の端部から他方の端部に亘って、前記底面と前記糊代部との境界に略平行な糊代部ミシン目が設けられていることを特徴とする。
【００１１】
請求項６に記載の発明は、
請求項５に記載の家庭用薄葉紙収納箱において、
前記糊代部ミシン目は、凹みにより形成されていることを特徴とする。
【発明の効果】
【００１２】
本発明によれば、積層された家庭用薄葉紙が内部に収納され、上面に設けられた取出口を被覆するように、スリットを有するフィルムが内側の面に貼着され、スリットを通して内部の家庭用薄葉紙を取り出すことができる、六面体形状の家庭用薄葉紙収納箱において、上面と、上面の一の端部と連結する第１側面と、上面の前記一の端部と対向する端部と連結する第２側面と、第２側面の上面と連結された端部と対向する端部と連結する底面と、底面の第２側面と連結された端部と対向する端部と連結する糊代部と、上面の前記一の端部と直交する両端部のそれぞれから突出する上側外フラップと、底面の第２側面と連結された端部と直交する両端部のそれぞれから突出する下側外フラップと、第１側面及び第２側面の上面と連結された端部と直交する両端部のそれぞれから突出する内フラップと、を有する一枚のシート基材を備え、シート基材の底面と第１側面とを、糊代部と第１側面とを接着させることによって連結させるとともに、シート基材の上側外フラップと下側外フラップとを、内フラップ上で接着させることによって連結させることで、六面体形状に形成され、底面における底面中央よりも糊代部側には、所定の大きさの内部領域を形成する底面ミシン目が設けられており、底面ミシン目で形成された内部領域に指を当てて力を加えると、当該底面ミシン目で形成された内部領域が当該家庭用薄葉紙収納箱の内側に折れ曲がって、指が挿入可能となるよう構成されている。
したがって、底面ミシン目で形成された内部領域に指を当てて力を加え、底面ミシン目で形成された内部領域を収納箱の内側に折り曲げて指を挿入し、その状態で、第１側面を収納箱の外側に向けて倒すように力を加えることによって、底面と第１側面との連結を容易に解除することができる。これにより、上面の内側の面を露出させることができるため、上面の内側の面からフィルムを容易に確実にはがすことができる。
【発明を実施するための最良の形態】
【００１３】
以下、図を参照して、本発明を実施するための最良の形態を詳細に説明する。なお、発明の範囲は、図示例に限定されない。
本実施の形態では、家庭用薄葉紙としてティシューペーパーを例示して、家庭用薄葉紙収納箱としてティシューペーパー収納箱を例示して、説明することとする。
【００１４】
＜収納箱の構成＞
図１は、本発明のティシューペーパー収納箱１００（以下、「収納箱１００」という。）の平面斜視図、図２は、収納箱１００の底面斜視図、図３は、組み立てる前の状態の収納箱１００の外側（表側）の面を示す平面図、図４は、組み立てる前の状態の収納箱１００の内側（裏側）の面を示す平面図である。
【００１５】
収納箱１００は、例えば、長手方向の長さが１６０〜２５０ｍｍ、短手方向の長さが１００〜１２０ｍｍ、高さが５０〜１２０ｍｍの略直方体状（六面体形状）に形成されている。
収納箱１００の内部には、積層されたティシューペーパー２００，…が収納されている。
収納箱１００の内側の面には、収納箱１００の上面２０に設けられた取出口２１を被覆するように、スリット９１を有するフィルム９０が貼着されており、スリット９１を通して内部のティシューペーパー２００を取り出すことができるようになっている。
【００１６】
具体的には、収納箱１００は、例えば、略長方形状の上面２０と、上面２０の一の長手端部と連結する略長方形状の第１側面１０と、上面２０の第１側面１０と連結された長手端部と対向する長手端部と連結する略長方形状の第２側面３０と、第２側面３０の上面２０と連結された長手端部と対向する長手端部と連結する略長方形状の底面４０と、底面４０の第２側面３０と連結された長手端部と対向する長手端部と連結する略長方形状の糊代部５０と、上面２０の長手端部と直交する短手両端部のそれぞれから突出する略長方形状の上側外フラップ６０，６０と、底面４０の長手端部と直交する短手両端部のそれぞれから突出する略長方形状の下側外フラップ７０，７０と、第１側面１０及び第２側面３０の長手端部と直交する短手両端部のそれぞれから突出する略長方形状の内フラップ８０，８０，８０，８０と、を有する一枚のシート基材１と、上面２０の内側の面に貼着された一枚の略長方形状のフィルム９０と、などを備えて構成される。
収納箱１００において、例えば、第１側面１０、上面２０、第２側面３０、底面４０、糊代部５０、上側外フラップ６０、下側外フラップ７０及び内フラップ８０を有するシート基材１は、紙製であり、フィルム９０は、特に限定はしないがポリエチレンやポリプロピレンなどのプラスチック製である。
【００１７】
収納箱１００は、例えば、図３及び図４に示すような組み立てる前の状態から、糊代部５０の外側の面と第１側面１０の内側の面とを接着させることによって、底面４０と第１側面１０とを連結させるとともに、上側外フラップ６０の内側の面と下側外フラップ７０の外側の面とを内フラップ８０，８０上で接着させることによって、上側外フラップ６０と下側外フラップ７０とを連結させることで組み立てられて、例えば、図１及び図２に示すような略直方体状に形成されるようになっている。
【００１８】
上面２０の略中央には、例えば、上面２０の長手方向に長尺に形成された取出口２１が設けられている。
この取出口２１は、上面２０に設けられたミシン目を切って、上面２０の一部を切り取ることにより形成される。
【００１９】
取出口２１を被覆するフィルム９０は、例えば、図４に示すように、接着剤９２によって上面２０の内側の面に貼着されている。
フィルム９０の略中央には、スリット９１が設けられている。スリット９１の長さは、例えば、取出口２１の長手方向の長さと略同一となるよう設定されている。
【００２０】
下側外フラップ７０には、例えば、所定の大きさの内部領域を形成するフラップミシン目７１が設けられている。フラップミシン目７１で形成された内部領域は、例えば、下側外フラップ７０の底面４０と連結された長手端部に対向する長手端部側から下側外フラップ７０の底面４０と連結された長手端部に向かって突出する形状をなしている。
フラップミシン目７１は、例えば、貫通孔により形成されている。すなわち、フラップミシン目７１は、下側フラップ７０を貫通している。
ここで、以下、下側外フラップ７０の底面４０と連結された一端をフラップ連結端７０ａと呼び、下側外フラップ７０の底面４０と連結された一端（フラップ連結端７０ａ）と対向する一端をフラップ長手自由端７０ｂと呼ぶ場合がある。
【００２１】
具体的には、フラップミシン目７１は、例えば、下側外フラップ７０における下側外フラップ７０中央よりもフラップ長手自由端７０ｂ側に設けられ、フラップ長手自由端７０ｂと略平行な平行部７１１１とこの平行部７１１１の両端からフラップ長手自由端７０ｂに向けて略直角に折曲した折曲部７１１２，７１１２とからなる略コ字形状の第１フラップミシン目７１１と、下側外フラップ７０の略中央に設けられ、第１フラップミシン目７１１の平行部７１１１からフラップ連結端７０ａに向かって突出する略Ｕ字形状の第２フラップミシン目７１２と、からなる。
第１フラップミシン目７１１の起点７１１ａ及び終点７１１ｂは、例えば、フラップ長手自由端７０ｂ上に位置している。また、第２フラップミシン目７１２の起点７１２ａ及び終点７１２ｂは、例えば、第１フラップミシン目７１１の平行部７１１１上に位置している。
【００２２】
第１フラップミシン目７１１は、例えば、上側外フラップ６０と下側外フラップ７０とが接着された状態では、上側外フラップ６０に覆われている。
また、上側外フラップ６０と下側外フラップ７０とが接着された状態で、第２フラップミシン目７１２で形成された内部領域に指を当てて力を加えると、第２フラップミシン目７１２が切れて、第２フラップミシン目７１２で形成された内部領域が収納箱１００の内側に折れ曲がり、指を挿入可能な指穴が下側外フラップ７０に形成されるようになっている。
【００２３】
上側外フラップ６０と下側外フラップ７０とは、接着剤によって接着されている。上側外フラップ６０と下側外フラップ７０とが接着された状態では、例えば、下側外フラップ７０における、第１フラップミシン目７１１の平行部７１１１よりもフラップ長手自由端７０ｂ側に、接着剤が塗布されている方が好ましい。すなわち、上側外フラップ６０と下側外フラップ７０とが接着された状態では、少なくとも、フラップミシン目７１のうちの、第２フラップミシン目７１２上と、第１フラップミシン目７１１の平行部７１１１上と、には接着剤が塗布されていない方が好ましい。第２フラップミシン目７１２上と、第１フラップミシン目７１１の平行部７１１１上と、に接着剤を塗布しないことで、より容易に上側外フラップ６０と下側外フラップ７０との連結を解除できるようになる。
したがって、第２フラップミシン目７１２で形成された内部領域に指を当てて力を加えることにより形成された指穴に指を挿入して、上側外フラップ６０を収納箱１００の外側に向けて倒すように力を加えると、第１フラップミシン目７１１が切れて、上側外フラップ６０と下側外フラップ７０との連結を容易に解除できるようになっている。
【００２４】
第２フラップミシン目７１２が描く略Ｕ字の大きさ、すなわち、第２フラップミシン目７１２で形成された内部領域の大きさは、第２フラップミシン目７１２で形成された内部領域が収納箱１００の内側に折れ曲がった際、下側外フラップ７０に指を挿入可能な指穴が形成されるのであれば任意であり、具体的には、例えば、第２フラップミシン目７１２で形成された内部領域の幅（下側フラップ７０の長手方向に沿った長さ）としては、１．５ｃｍ〜５ｃｍが好ましく、第２フラップミシン目７１２で形成された内部領域の高さ（下側フラップ７０の短手方向に沿った長さ）としては、１．５ｃｍ〜４ｃｍが好ましい。なぜならば、内部領域の幅や高さが１．５ｃｍ未満であると指が入れづらくなるからである。また、内部領域の幅が５ｃｍを超えたり、内部領域の高さが４ｃｍを超えたりすると、ミシン目で形成された内部領域が大きくなってしまうため、収納箱１００を組み立てる際にミシン目での折れや凹みが発生し易くなるとともに、指穴を形成する際に強く押さないと指穴が開きにくくなるからである。
【００２５】
第１フラップミシン目７１１が描く略コ字の大きさ、すなわち、第１フラップミシン目７１１で形成された内部領域の大きさは、下側外フラップ７０に形成された指穴に指を挿入して、上側フラップ６０を収納箱１００の外側に向けて倒すように力を加えると、第１フラップミシン目７１１が切れて、上側外フラップ６０と下側外フラップ７０との連結を解除できるのであれば任意であり、具体的には、例えば、第１フラップミシン目７１１で形成された内部領域の幅（下側フラップ７０の長手方向に沿った長さ）としては、第２フラップミシン目７１２で形成された内部領域の幅以上が好ましく、第１フラップミシン目７１１で形成された内部領域の高さ（下側フラップ７０の短手方向に沿った長さ）としては、上側外フラップ６０と下側外フラップ７０とが接着された状態で、第１フラップミシン目７１１が上側外フラップ６０に覆われる高さが好ましい。
【００２６】
底面４０には、例えば、所定の大きさの内部領域を形成する略Ｕ字形状の底面ミシン目４１が設けられている。底面ミシン目４１で形成された内部領域は、例えば、糊代部５０側から底面４０中央に向かって突出する形状をなしている。
底面ミシン目４１は、例えば、貫通孔が並んで形成されている。すなわち、底面ミシン目４１は、底面４０を貫通している。
ここで、以下、糊代部５０の底面４０と連結された一端を糊代部連結端５０ａと呼び、糊代部５０の底面４０と連結された一端（糊代部連結端５０ａ）と対向する一端を糊代部長手自由端５０ｂと呼ぶ場合がある。
【００２７】
具体的には、底面ミシン目４１は、例えば、底面４０における底面４０中央よりも糊代部５０側に設けられている。
底面ミシン目４１の起点４１ａ及び終点４１ｂは、例えば、糊代部連結端５０ａ（底面４０と糊代部５０との境界）上に位置している。
【００２８】
糊代部５０と第１側面１０とが接着された状態で、底面ミシン目４１で形成された内部領域に指を当てて力を加えると、底面ミシン目４１が切れて、底面ミシン目４１で形成された内部領域が収納箱１００の内側に折れ曲がり、指を挿入可能な指穴が底面４０に形成されるようになっている。
【００２９】
底面ミシン目４１が描く略Ｕ字の大きさ、すなわち、底面ミシン目４１で形成された内部領域の大きさは、底面ミシン目４１で形成された内部領域が収納箱１００の内側に折れ曲がった際、底面４０に指を挿入可能な指穴が形成されるのであれば任意であり、具体的には、例えば、底面ミシン目４１で形成された内部領域の幅Ｗ（底面４０の長手方向に沿った長さ（図５参照））としては、１．５ｃｍ〜５ｃｍが好ましく、底面ミシン目４１の内部領域の高さＨ（底面４０の短手方向に沿った長さ（図５参照））としては、１．５ｃｍ〜４ｃｍが好ましい。なぜならば、内部領域の幅Ｗや高さＨが１．５ｃｍ未満であると指が入れづらくなるからである。また、内部領域の幅Ｗが５ｃｍを超えたり、内部領域の高さＨが４ｃｍを超えたりすると、ミシン目で形成された内部領域が大きくなってしまうため、収納箱１００を組み立てる際にミシン目での折れや凹みが発生し易くなるとともに、指穴を形成する際に強く押さないと指穴が開きにくくなるからである。
【００３０】
糊代部５０には、例えば、底面ミシン目４１の起点４１ａ及び終点４１ｂから延長する延長ミシン目５１，５１が設けられているとともに、糊代部連結端５０ａ（底面４０と糊代部５０との境界）に略平行な糊代部ミシン目５２が設けられている。
延長ミシン目５１は、例えば、貫通孔により形成されており、糊代部ミシン目５２は、例えば、凹みにより形成されている。すなわち、延長ミシン目５１は、糊代部５０を貫通しているのに対し、糊代部ミシン目５２は、糊代部５０を貫通していない。糊代部ミシン目５２が貫通していると、糊代部５０と第１側面１０との張り合わせ部分の強度が低下してしまうが、糊代部ミシン目５２を貫通しない凹みにより形成することで、糊代部５０と第１側面１０との張り合わせ部分の強度を保ちながら底面４０と第１側面１０の連結を容易に解除できるようになる。
具体的には、糊代部ミシン目５２を形成する凹みは、例えば、図３及び図４に示すように、糊代部５０の内側の面に設けられている。
【００３１】
具体的には、延長ミシン目５１は、例えば、糊代部連結端５０ａに略直交するように、糊代部連結端５０ａから糊代部長手自由端５０ｂに亘って設けられている。
また、糊代部ミシン目５２は、例えば、糊代部５０の短手方向略中央の位置に、糊代部５０の一方の短手端部から他方の短手端部に亘って設けられている。
【００３２】
糊代部５０と第１側面１０とは、接着剤によって接着されている。糊代部５０と第１側面１０とが接着された状態では、糊代部ミシン目５２上には接着剤が塗布されていない方が好ましい。糊代部ミシン目５２上に接着剤を塗布しないことで、より容易に底面４０と第１側面１０との連結を解除できるようになる。
また、糊代部５０と第１側面１０とが接着された状態では、延長ミシン目５１上に接着剤を塗布しない方が良い。更に好ましくは、延長ミシン目５１上と、延長ミシン目５１と糊代部連結端５０ａと糊代部長手自由端５０ｂとに囲まれた部分と、に接着剤を塗布しない方が良い。延長ミシン目５１上に接着剤を塗布しないことで、或いは、延長ミシン目５１上と、延長ミシン目５１と糊代部連結端５０ａと糊代部長手自由端５０ｂとに囲まれた部分と、に接着剤を塗布しないことで、より容易に底面４０と第１側面１０との連結を解除できるようになる。
したがって、底面ミシン目４１で形成された内部領域に指を当てて力を加えることにより形成された指穴に指を挿入して、第１側面１０を収納箱１００の外側に向けて倒すように力を加えると、延長ミシン目５１と、糊代部ミシン目５２と、が切れて、底面４０と第１側面１０との連結を容易に解除できるようになっている。
【００３３】
＜収納箱の展開方法＞
図６は、収納箱１００の展開における途中段階を示す収納箱１００の底面斜視図、図７は、展開した状態の収納箱１００の外側（表側）の面を示す平面図、図８は、展開した状態の収納箱１００の内側（裏側）の面を示す平面図である。
【００３４】
収納箱１００は、例えば、収納箱１００の内部に収納されたティシューペーパー２００を使い切ると、収納箱１００の嵩を減らした状態で、かつ、紙とフィルム９０とを分別した状態で捨てるために、展開されるようになっている。
【００３５】
具体的には、収納箱１００が組み立てられた状態（例えば、図１や図２）において、第２フラップミシン目７１２で形成された内部領域に指を当てて、第２フラップミシン目７１２で形成された内部領域を収納箱１００の内側に向けて倒すように力を加えることにより、下側フラップ７０に指穴を形成する。
【００３６】
次いで、下側外フラップ７０に形成された指穴に指を挿入して、上側外フラップ６０を収納箱１００の外側に向けて倒すように力を加えることにより、例えば、図６に示すように、上側外フラップ６０と下側外フラップ７０との連結を解除する。
【００３７】
次いで、底面ミシン目４１で形成された内部領域に指を当てて、底面ミシン目４１で形成された内部領域を収納箱１００の内側に向けて倒すように力を加えることにより、底面４０に指穴を形成する。
【００３８】
次いで、底面４０に形成された指穴に指を挿入して、第１側面１０を収納箱１００の外側に向けて倒すように力を加えることにより、例えば、図７及び図８に示すように、底面４０と第１側面１０との連結を解除して、収納箱１００を展開する。
【００３９】
そして、収納箱１００を展開した状態において、上面２０からフィルム９０をはがすと、フィルム９０を容易に確実にはがすことができるため、紙（シート基材１）とフィルム９０とを分別することができる。
また、収納箱１００を展開してから収納箱１００を捨てると、収納箱１００を展開する前と比較して収納箱１００の嵩を減らすことができる。
【００４０】
以上説明した本発明の収納箱１００によれば、上面２０と、上面２０の一の長手端部と連結する第１側面１０と、上面２０の前記一の長手端部と対向する長手端部と連結する第２側面３０と、第２側面３０の上面２０と連結された長手端部と対向する長手端部と連結する底面４０と、底面４０の第２側面３０と連結された長手端部と対向する長手端部と連結する糊代部５０と、上面２０の前記一の長手端部と直交する短手両端部のそれぞれから突出する上側外フラップ６０，６０と、底面４０の第２側面３０と連結された長手端部と直交する短手両端部のそれぞれから突出する下側外フラップ７０，７０と、第１側面１０及び第２側面３０の上面２０と連結された長手端部と直交する短手両端部のそれぞれから突出する内フラップ８０，８０，８０，８０と、を有する一枚のシート基材１を備え、シート基材１の底面４０と第１側面１０とを、糊代部５０と第１側面１０とを接着させることによって連結させるとともに、シート基材１の上側外フラップ６０と下側外フラップ７０とを、内フラップ８０，８０上で接着させることによって連結させることで、六面体形状に形成され、底面４０における底面４０中央よりも糊代部５０側には、所定の大きさの内部領域を形成する底面ミシン目４１が設けられており、底面ミシン目４１で形成された内部領域に指を当てて力を加えると、底面ミシン目４１で形成された内部領域が収納箱１００の内側に折れ曲がって、指が挿入可能となるよう構成されている。
したがって、底面ミシン目４１で形成された内部領域に指を当てて力を加え、底面ミシン目４１で形成された内部領域を収納箱１００の内側に折り曲げて指を挿入し、その状態で、第１側面１０を収納箱１００の外側に向けて倒すように力を加えることによって、底面４０と第１側面１０との連結を容易に解除することができる。これにより、上面２０の内側の面を露出させることができるため、上面２０の内側の面からフィルム９０を容易に確実にはがすことができる。
【００４１】
また、以上説明した本発明の収納箱１００によれば、底面ミシン目４１の起点４１ａ及び終点４１ｂは、底面４０と糊代部５０との境界（糊代部連結端５０ａ）上に位置している。また、糊代部５０には、底面ミシン目４１の起点４１ａ及び終点４１ｂから延長する延長ミシン目５１，５１が設けられているとともに、糊代部５０の長手端部と略直交する一方の短手端部から他方の短手端部に亘って、底面４０と糊代部５０との境界（糊代部連結端５０ａ）に略平行な糊代部ミシン目５２が設けられている。
したがって、底面ミシン目４１で形成された内部領域を収納箱１００の内側に折り曲げて指を挿入した状態で、第１側面１０を収納箱１００の外側に向けて倒すように力を加えることによって、底面４０と第１側面１０との連結を容易に確実に解除することができる。
【００４２】
また、以上説明した本発明の収納箱１００によれば、下側外フラップ７０には、所定の大きさの内部領域を形成するフラップミシン目７１が設けられており、フラップミシン目７１の第２フラップミシン目７１２で形成された内部領域に指を当てて力を加えると、第２フラップミシン目７１２で形成された内部領域が収納箱１００の内側に折れ曲がって、指が挿入可能となる。
したがって、第２フラップミシン目７１２で形成された内部領域に指を当てて力を加え、第２フラップミシン目７１２で形成された内部領域を収納箱１００の内側に折り曲げて指を挿入し、その状態で、上側外フラップ６０を収納箱１００の外側に向けて倒すように力を加えることによって、上側外フラップ６０と下側外フラップ７０との連結を容易に解除することができる。これにより、収納箱１００を展開することができるため、上面２０の内側の面からフィルム９０を容易に確実にはがすことができる。
【００４３】
また、以上説明した本発明の収納箱１００によれば、糊代部ミシン目５２は、凹みにより形成されている。すなわち、糊代部ミシン目５２は、糊代部５０を貫通していない。
したがって、収納箱１００の強度を保持しながら、底面４０と第１側面１０との連結を容易に確実に解除できる構造とすることができる。
【００４４】
なお、本発明は、上記した実施の形態のものに限るものではなく、その要旨を逸脱しない範囲で適宜変更可能である。
【００４５】
＜変形例１＞
上記した実施の形態において、底面ミシン目４１の形状は、略Ｕ字形状に限ることはなく、例えば、図９に示す収納箱１１００の底面１４０に設けられた底面ミシン目１４１のように、略Ｖ字形状であっても良い。
【００４６】
この場合も、底面ミシン目１４１で形成された内部領域の大きさは、底面ミシン目１４１で形成された内部領域が収納箱１１００の内側に折れ曲がった際、底面１４０に指を挿入可能な指穴が形成されるのであれば任意であり、具体的には、例えば、底面ミシン目１４１で形成された内部領域の幅Ｗとしては、１．５ｃｍ〜５ｃｍが好ましく、底面ミシン目１４１で形成された内部領域の高さＨとしては、１．５ｃｍ〜４ｃｍが好ましい。
【００４７】
＜変形例２＞
上記した実施の形態において、糊代部５０は、延長ミシン目５１を有するものに限ることはなく、例えば、図１０に示す収納箱２１００の糊代部２５０のように、延長ミシン目５１を有していなくても良い。
なお、この場合、底面ミシン目４１の形状は、変形例１のように略Ｖ字形状であっても良い。
【００４８】
＜変形例３＞
上記した変形例２において、底面ミシン目４１の起点４１ａ及び終点４１ｂは、糊代部連結端５０ａ（底面４０と糊代部２５０との境界）上に位置するものに限ることはなく、例えば、図１１に示す収納箱３１００の底面３４０に設けられた底面ミシン目３４１のように、糊代部連結端５０ａよりも底面３４０中央側に位置していても良い。
なお、この場合、底面ミシン目３４１の形状は、変形例１のように略Ｖ字形状であっても良い。
【００４９】
この場合、底面ミシン目３４１の起点４１ａ及び終点４１ｂから糊代部連結端５０ａまでの距離Ｄ（図１１参照）は、底面ミシン目３４１で形成された内部領域を収納箱３１００の内側に折り曲げて指を挿入した状態で、第１側面１０を収納箱３１００の外側に向けて倒すように力を加えることによって、底面３４０と第１側面１０との連結を容易に解除するという観点から、１．５ｃｍ以下が好ましい。
【００５０】
なお、上記した実施の形態及び変形例１において、延長ミシン目５１は、糊代部連結端５０ａから糊代部長手自由端５０ｂに亘って設けられるものに限ることはなく、糊代部連結端５０ａから糊代部５０の所定位置に亘って設けられていれば良く、例えば、糊代部連結端５０ａから糊代部ミシン目５２上に亘って設けられていても良い。
【００５１】
また、上記した実施の形態及び変形例１において、底面ミシン目４１，１４１の形状は、略Ｕ字形状や略Ｖ字形状に限ることはなく、底面ミシン目４１，１４１で形成された内部領域に指を当てて力を加え、底面ミシン目４１，１４１で形成された内部領域を収納箱１００，１１００の内側に折り曲げると、底面４０，１４０に、指を挿入可能な指穴を形成できる形状であれば任意であり、例えば、略コ字形状であっても良い。
変形例２及び変形例３の場合も同様である。
この場合も、底面ミシン目で形成された内部領域の大きさは、底面ミシン目で形成された内部領域が収納箱の内側に折れ曲がった際、底面に指を挿入可能な指穴が形成されるのであれば任意であり、具体的には、例えば、底面ミシン目で形成された内部領域の幅Ｗとしては、１．５ｃｍ〜５ｃｍが好ましく、底面ミシン目で形成された内部領域の高さＨとしては、１．５ｃｍ〜４ｃｍが好ましい。なぜならば、内部領域の幅Ｗや高さＨが１．５ｃｍ未満であると指が入れづらくなるからである。また、内部領域の幅Ｗが５ｃｍを超えたり、内部領域の高さＨが４ｃｍを超えたりすると、ミシン目で形成された内部領域が大きくなってしまうため、収納箱を組み立てる際にミシン目での折れや凹みが発生し易くなるとともに、指穴を形成する際に強く押さないと指穴が開きにくくなるからである。
【００５２】
また、上記した実施の形態において、糊代部５０は、糊代部ミシン目５２を有するものに限ることはなく、糊代部ミシン目５２を有していなくても良い。
変形例１〜３の場合も同様である。
【００５３】
また、上記した実施の形態において、糊代部ミシン目５２を形成する凹みは、糊代部５０の内側の面に設けられるものに限ることはなく、糊代部５０の外側の面に設けられていても良い。
変形例１〜３の場合も同様である。
【００５４】
また、上記した実施の形態において、糊代部ミシン目５２は、凹みにより形成されるものに限ることはなく、貫通孔により形成されたものであっても良い。すなわち、糊代部ミシン目５２は、糊代部５０を貫通していても、貫通していなくても良い。
その他のミシン目も同様であり、底面ミシン目４１は、底面４０を貫通していても、貫通していなくても良いし、フラップミシン目７１は、下側外フラップ７０を貫通していても、貫通していなくても良いし、延長ミシン目５１は、糊代部５０を貫通していても、貫通していなくても良い。
変形例１〜３の場合も同様である。
【００５５】
また、上記した実施の形態において、収納箱１００の形状は、長手方向の長さが１６０〜２５０ｍｍ、短手方向の長さが１００〜１２０ｍｍ、高さが５０〜１２０ｍｍの略直方体状に限ることはなく、六面体形状であれば任意であり、例えば、略立方体状であっても良い。
変形例１〜３の場合も同様である。
【００５６】
また、上記した実施の形態において、家庭用薄葉紙収納箱は、ティシューペーパー収納箱１００に限ることはなく、収納する対象が家庭用薄葉紙であれば、ボックス入りトイレットペーパーや、キッチンペーパー、クッキングペーパーなどの収納箱であっても良い。
変形例１〜３の場合も同様である。
【図面の簡単な説明】
【００５７】
【図１】本発明の家庭用薄葉紙収納箱（ティシューペーパー収納箱）の平面斜視図である。
【図２】本発明のティシューペーパー収納箱の底面斜視図である。
【図３】本発明のティシューペーパー収納箱であって、組み立てる前の状態のティシューペーパー収納箱の外側の面を示す平面図である。
【図４】本発明のティシューペーパー収納箱であって、組み立てる前の状態のティシューペーパー収納箱の内側の面を示す平面図である。
【図５】本発明のティシューペーパー収納箱の要部（底面ミシン目及びその近傍）を示す図である。
【図６】本発明のティシューペーパー収納箱の展開における途中段階を示すティシューペーパー収納箱の底面斜視図である。
【図７】本発明のティシューペーパー収納箱であって、展開した状態のティシューペーパー収納箱の外側の面を示す平面図である。
【図８】本発明のティシューペーパー収納箱であって、展開した状態のティシューペーパー収納箱の内側の面を示す平面図である。
【図９】変形例１のティシューペーパー収納箱の要部（底面ミシン目及びその近傍）を示す図である。
【図１０】変形例２のティシューペーパー収納箱の要部（底面ミシン目及びその近傍）を示す図である。
【図１１】変形例３のティシューペーパー収納箱の要部（底面ミシン目及びその近傍）を示す図である。
【符号の説明】
【００５８】
１  シート基材
１０  第１側面
２０  上面
３０  第２側面
４０，１４０，３４０  底面
４１，１４１，３４１  底面ミシン目
４１ａ  起点
４１ｂ  終点
５０，２５０  糊代部
５１  延長ミシン目
５２  糊代部ミシン目
６０  上側外フラップ
７０  下側外フラップ
７１  フラップミシン目
８０  内フラップ
２１  取出口
９０  フィルム
９１  スリット
１００，１１００，２１００，３１００  ティシューペーパー収納箱（家庭用薄葉紙収納箱）
【図１】
2009286447.tif 000003
【図２】
2009286447.tif 000004
【図３】
2009286447.tif 000005
【図４】
2009286447.tif 000006
【図５】
2009286447.tif 000007
【図６】
2009286447.tif 000008
【図７】
2009286447.tif 000009
【図８】
2009286447.tif 000010
【図９】
2009286447.tif 000011
【図１０】
2009286447.tif 000012
【図１１】
2009286447.tif 000013